(57)【要約】【課題】メンテナンス性に優れた空気調和機を提供すること。【解決手段】熱交換器２０を通過する空気の塵埃を集塵する駆動可能なエアフィルター２と、エアフィルター２に付着した塵埃を除去することが可能な除去部材１２ｃと、除去部材１２ｃによって除去された塵埃を収納可能な埃収納部８を備えた空気調和機のフィルター装置において、埃収納部８に連通した吸引装置９と、埃収納部８に空気流入口１１を設けることにより、エアフィルター２に付着した塵埃を自動清掃できるため、エアフィルター２を定期的に清掃する手間が省ける空気調和機のフィルター装置を提供できる。【選択図】図２
2006118737.tif 000002
【特許請求の範囲】
【請求項１】
熱交換器を通過する空気の塵埃を集塵する駆動可能なエアフィルターと、前記エアフィルターに付着した塵埃を除去することが可能な除去部材と、前記除去部材によって除去された塵埃を収納可能な埃収納部を備えた空気調和機のフィルター装置において、前記埃収納部に連通した吸引装置と、前記埃収納部に空気流入口を設けたことを特徴とする空気調和機のフィルター装置。
【請求項２】
除去部材を複数個設けたことを特徴とする請求項１記載の空気調和機のフィルター装置。
【請求項３】
埃収納部の空気流入口を開閉自在としたことを特徴とする請求項１または２に記載の空気調和機のフィルター装置。
【請求項４】
除去部材が埃収納部の内部に配されていることを特徴とする請求項１記載の空気調和機のフィルター装置。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に、空気調和機の本体内部へ塵埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、エアフィルターのメンテナンスの手間を低減する目的で、エアフィルターに付着した塵埃をブラシにて定期的に清掃する自動清掃装置が提案されている（例えば、特許文献１参照）。
【特許文献１】特開２００１−９９４７９号公報
【発明の開示】
【発明が解決しようとする課題】
【０００４】
しかしながら、上記従来技術では、ある程度の時間が経過したらブラシで掻き落として集めた塵埃を処理しなくてはならずメンテナンスの手間が大幅に軽減されるものではなかった。こうした観点からエアフィルターの自動清掃装置としてはエアフィルターに付着した塵埃をブラシで掻き落とした後、吸引清掃し、吸引された塵埃を集塵装置に集塵もしくは室外へ排出する清掃方法が好ましい。
【０００５】
本発明は、前記従来の課題を解決するもので、メンテナンス性に優れた空気調和機のフィルター装置を提供するものである。
【課題を解決するための手段】
【０００６】
前記課題を解決するため本発明は、熱交換器を通過する空気の塵埃を集塵する駆動可能なエアフィルターと、除去部材と、空気流入口を設けた埃収納部と、前記埃収納部に連通した吸引装置とを具備した空気調和機のフィルター装置である。
【０００７】
これによって、エアフィルターに付着した塵埃を除去部材で掻き落として、埃収納部に集めつつ、吸引装置で吸引して集塵装置に集塵もしくは室外へ排出することが可能となる。
【発明の効果】
【０００８】
本発明の空気調和機のフィルター装置は、エアフィルターに付着した塵埃の自動清掃を可能にして、メンテナンス性を向上することができる。
【発明を実施するための最良の形態】
【０００９】
第１の発明は、熱交換器を通過する空気の塵埃を集塵する駆動可能なエアフィルターと、除去部材と、埃収納部を備えた空気調和機のフィルター装置において、前記埃収納部に連通した吸引装置と、前記埃収納部に空気流入口を設けたことにより、エアフィルターに付着した塵埃を除去部材で埃収納部内に掻き落としながら、吸引装置で吸引して集塵装置に集塵もしくは室外へ排出することが可能となる。
【００１０】
第２の発明は、特に第１の発明の除去部材を複数個設けたことにより、エアフィルターに付着した塵埃をより確実に掻き落とすことができるため、清掃性の向上が図れる。
【００１１】
第３の発明は、特に、第１または第２の発明の収納部に設けた空気流入口を開閉自在にしたことにより、エアフィルターに付着した塵埃を除去部材で掻き落とし、収納部に集めたのち、吸引装置で一気に吸引して、集塵装置に集塵もしくは室外へ排出することが可能となる。
【００１２】
第４の発明は、特に、第１の発明の除去部材を埃収納部の内部に配したことにより、除去部材で除去された塵埃を漏れなく埃収納部に収納することが可能となる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機のフィルター装置の斜視図であり、図２は図１のＩ−Ｉ線の断面図である。
【００１５】
図１に示すように、空気調和機のフィルター装置１は、下部にエアフィルター２を巻き取る回転自在な巻取軸３と駆動モータ４を、上部にエアフィルター２を引張り支持する回転自在な支持軸５と、この支持軸５に回転力を付加するバネ６を有し、エアフィルター２を巻取軸３から支持軸５へ導くフレーム７と、このフレーム７の下部に塵埃を収納可能な埃収納部８を設けている。また、埃収納部８は吸引装置９と連通して、吸引装置９には排気ダクト１０が連結されて室外へ引き回されている。そして、埃収納部８には空気流入口１１を設けている。また、図２に示すように、埃収納部８の内部にはエアフィルター２に接した除去部材１２ｃを設けている。
【００１６】
以上のように構成された空気調和機のフィルター装置１について、以下その動作、作用を説明する。
【００１７】
空気調和機のフィルター装置１の動作停止時は、エアフィルター２がバネ６の弾性力でフレーム７に沿って引張り上げられて支持軸５に支持されているため、空気調和機のフィルター装置１の全面はエアフィルター２で覆われている。そして、空気調和機のフィルター装置１を通過する空気に含まれる塵埃はエアフィルター２で集塵される。
【００１８】
エアフィルター２が汚れた場合、空気調和機のフィルター装置１を作動させると、駆動モータ４が回転動作してエアフィルター２はフレーム７に沿って移動しながら巻取軸３に巻き取られる。この時、エアフィルター２に付着していた塵埃は、除去部材１２ｃで掻き落とされ埃収納部８に漏れなく収納される。また、駆動モータ４の動作と同時に吸引装置９が作動するため、埃収納部８に設けた空気流入口１１から流入する吸引風により、除去部材１２ｃで掻き落とされた塵埃は埃収納部８から吸引装置９へと導かれ、排気ダクト１０を通って室外へ排出される。
【００１９】
そして、エアフィルター２が巻取軸３に全て巻き取られたときに、駆動モータ４を逆回転させると、エアフィルター２はバネ６の弾性力でフレーム７に沿って引張り上げられ、初期の状態に戻ることができる。
【００２０】
これにより、エアフィルター２に付着した塵埃を自動で清掃することができる。
【００２１】
（実施の形態２）
図３は、本発明の第２の実施の形態における空気調和機のフィルター装置１の断面図であり、図１のＩ−Ｉ線の断面図である。
【００２２】
以下の説明において、実施の形態１の説明と重複する空気調和機のフィルター装置１の構成、動作に関する説明は省略する。
【００２３】
図３に示すように、除去部材１２ａ〜１２ｄを埃収納部８の上下およびエアフィルター２の表面と裏面にそれぞれ配設したものである。そして、上部の除去部材１２ａ、１２ｂはエアフィルター２が下降中はフィルター面から離れ、上昇中はフィルター面に接する構造となっている。また、下部の除去部材１２ｃ、１２ｄはエアフィルター２が下降中はフィルター面に接し、上昇中はフィルター面から離れる構造となっている。
【００２４】
そして、このような構成をとることにより、エアフィルター２に付着した塵埃をより完全に掻き落とすことが可能となるため、清掃性を向上させることができる。
【００２５】
（実施の形態３）
図４は、本発明の第３の実施の形態における空気調和機のフィルター装置１の斜視図である。
【００２６】
以下の説明において、実施の形態１，２と重複する説明は省略する。
【００２７】
図４に示すように、埃収納部８の空気流入口１１に開閉弁１３と開閉モータ１４を設け、空気流入口１１を開閉自在な構造にしたものである。尚、この空気流入口１１は通常は開閉弁１３により閉じられており、吸引装置９と連動して開口するものである。
【００２８】
そして、このような構成をとることにより、エアフィルター２に付着した塵埃を除去部材１２ａ〜１２ｄで掻き落として埃収納部８に集塵したのち、吸引装置９を作動させて集塵した塵埃を一気に吸引して室外に排出することができる。このため、吸引装置９の可動時間が短縮できて省エネが図れるとともに、騒音発生時間も短縮できるため快適性を向上させることができる。
【００２９】
（実施の形態４）
図５は、本発明の第４の実施の形態における空気調和機の正面図であり、図６は図５のＩＩ−ＩＩ線の断面図である。
【００３０】
図６に示すように、空気調和機の本体２４の内部には熱交換器２０が設けられ、空気の流路となる風流路２２が形成されている。この風流路２２内にはファン２１が配設され、本体２４の前面から上面に渡り形成される吸込口１９から吸い込み、吹出口２３から吹出す空気の流れを発生させている。そして、実施の形態１から３で述べたいずれかのフィルター装置１を、本体２４の前面から上面に渡り形成される吸込口１９と熱交換器２０の間にＬ字型の形状で配設している。
【００３１】
そして、このような構成をとることにより、吸込口１９から吸込まれた空気に含まれる塵埃はフィルター装置１で集塵されるため、熱交換器へ塵埃が付着することを防ぐことができる。また、実施の形態１から３で述べたように、フィルター装置１で集塵した塵埃は自動的に清掃処理されるため、メンテナンス性に優れた空気調和機が提供できる。
【産業上の利用可能性】
【００３２】
以上のように、本発明にかかる空気調和機のフィルター装置は、エアフィルターに付着
した塵埃を自動で清掃できるメンテナンス性に優れているため、空気清浄機など空気中の塵埃を集塵するエアフィルターを装着した機器にも適用できる。
【図面の簡単な説明】
【００３３】
【図１】本発明の実施の形態１における空気調和機のフィルター装置を示す斜視図
【図２】本発明の実施の形態１における空気調和機のフィルター装置を示す断面図
【図３】本発明の実施の形態２における空気調和機のフィルター装置を示す断面図
【図４】本発明の実施の形態３における空気調和機のフィルター装置を示す斜視図
【図５】本発明の実施の形態４における空気調和機を示す正面図
【図６】本発明の実施の形態４における空気調和機を示す断面図
【符号の説明】
【００３４】
１  フィルター装置
２  エアフィルター
３  巻取軸
４  駆動モータ
５  支持軸
６  バネ
７  フレーム
８  埃収納部
９  吸引装置
１０  排気ダクト
１１  空気流入口
１２ａ  除去部材
１２ｂ  除去部材
１２ｃ  除去部材
１２ｄ  除去部材
１３  開閉弁
１４  開閉モータ
１９  吸込口
２０  熱交換器
２１  ファン
２２  風流路
２３  吹出口
２４  本体
【図１】
2006118737.tif 000003
【図２】
2006118737.tif 000004
【図３】
2006118737.tif 000005
【図４】
2006118737.tif 000006
【図５】
2006118737.tif 000007
【図６】
2006118737.tif 000008